(57)【要約】【課題】ユーザが、パソコンなどのコンピュータで、電子カタログに記録されている商品を、現時点での在庫情報を確認して、発注できるようにすること。【解決手段】商品の情報を記録している電子カタログから商品を検索し、電子カタログに記録されている商品を発注可能な端末と、商品の在庫情報を管理するサーバとを備え、前記端末は、発注可能な商品の在庫情報を、ネットワークを介して前記サーバから取り込み、取り込んだ在庫情報を出力することを特徴とする発注システム。【選択図】なし【特許請求の範囲】
【請求項１】
商品の情報を記録している電子カタログから商品を検索し、電子カタログに記録されている商品を発注可能な端末と、商品の在庫情報を管理するサーバとを備え、
前記端末は、発注可能な商品の在庫情報を、ネットワークを介して前記サーバから取り込み、取り込んだ在庫情報を出力することを特徴とする発注システム。
【請求項２】
商品の情報を記録している電子カタログから商品を検索し、電子カタログに記録されている商品を発注可能な端末であって、
前記端末は、発注可能な商品の在庫情報を、ネットワークを介して商品の在庫情報を管理するサーバから取り込み、取り込んだ在庫情報を出力することを特徴とする発注端末。
【請求項３】
商品の情報を記録している電子カタログから商品を検索し、電子カタログに記録されている商品を発注可能な端末と、商品の在庫情報を管理するサーバとを設け、
前記端末は、発注可能な商品の在庫情報を、ネットワークを介して前記サーバから取り込み、取り込んだ在庫情報を出力することを特徴とする発注方法。
【請求項４】
商品の情報を記録している電子カタログから商品を検索し、電子カタログに記録されている商品を発注可能な端末が行なう方法であって、
前記端末は、発注可能な商品の在庫情報を、ネットワークを介して商品の在庫情報を管理するサーバから取り込み、取り込んだ在庫情報を出力することを特徴とする発注方法。
【請求項５】
端末にて、商品の情報を記録している電子カタログから商品を検索し、電子カタログに記録されている商品を発注可能にすることを、端末に行なわせるプログラムであって、
前記プログラムは、前記端末に、発注可能な商品の在庫情報を、ネットワークを介して商品の在庫情報を管理するサーバから取り込み、取り込んだ在庫情報を出力することを実行させることを特徴とするプログラム。
【請求項６】
請求項５に記載のプログラムを記録したことを特徴とする記録媒体。
【発明の詳細な説明】
【０００１】
【発明の属する技術分野】
本発明は、発注システム、発注端末、発注方法、プログラム、記録媒体に関する。
【０００２】
【従来の技術】
従来から、ＣＤ−ＲＯＭなどの記録媒体に商品情報を記録し、ユーザが、パソコンなどのコンピュータで、この商品情報を検索し閲覧可能な、電子カタログと呼ばれるものがある。さらに電子カタログには、ユーザが、この電子カタログに記録されている商品を、パソコンなどのコンピュータで、発注可能なものがある（特許文献１参照）。
【０００３】
【特許文献１】
特開２００１−２０２４３２号
【０００４】
【発明が解決しようとする課題】
ところで、ユーザが、電子カタログに記録されている商品を、パソコンなどのコンピュータで発注可能であるとしても、商品の在庫確認ができなくては、発注しても直ぐに納入されることが確実ではないので、発注しずらい。
【０００５】
しかしながら、商品の在庫は、常に変動する一方で、記録媒体は、ある時点で情報を固定して記録するために、商品の在庫情報を電子カタログに記録することは無意味であり、また電子カタログの配布後、随時、商品の在庫情報を記録媒体で提供することも事実上不可能である。
【０００６】
本発明は、係る従来技術の欠点に鑑みてなされたもので、ユーザが、パソコンなどのコンピュータで、電子カタログに記録されている商品を、現時点での在庫情報を確認して、発注できるようにすることを課題とする。
【０００７】
【課題を解決するための手段】
本発明において上記の課題を達成するために、まず請求項１の発明では、商品の情報を記録している電子カタログから商品を検索し、電子カタログに記録されている商品を発注可能な端末と、商品の在庫情報を管理するサーバとを備え、
前記端末は、発注可能な商品の在庫情報を、ネットワークを介して前記サーバから取り込み、取り込んだ在庫情報を出力することを特徴とする発注システムとしたものである。
【０００８】
また請求項２の発明では、商品の情報を記録している電子カタログから商品を検索し、電子カタログに記録されている商品を発注可能な端末であって、
前記端末は、発注可能な商品の在庫情報を、ネットワークを介して商品の在庫情報を管理するサーバから取り込み、取り込んだ在庫情報を出力することを特徴とする発注端末としたものである。
【０００９】
また請求項３の発明では、商品の情報を記録している電子カタログから商品を検索し、電子カタログに記録されている商品を発注可能な端末と、商品の在庫情報を管理するサーバとを設け、
前記端末は、発注可能な商品の在庫情報を、ネットワークを介して前記サーバから取り込み、取り込んだ在庫情報を出力することを特徴とする発注方法としたものである。
【００１０】
また請求項４の発明では、商品の情報を記録している電子カタログから商品を検索し、電子カタログに記録されている商品を発注可能な端末が行なう方法であって、
前記端末は、発注可能な商品の在庫情報を、ネットワークを介して商品の在庫情報を管理するサーバから取り込み、取り込んだ在庫情報を出力することを特徴とする発注方法としたものである。
【００１１】
また請求項５の発明では、端末にて、商品の情報を記録している電子カタログから商品を検索し、電子カタログに記録されている商品を発注可能にすることを、端末に行なわせるプログラムであって、
前記プログラムは、前記端末に、発注可能な商品の在庫情報を、ネットワークを介して商品の在庫情報を管理するサーバから取り込み、取り込んだ在庫情報を出力することを実行させることを特徴とするプログラムとしたものである。
【００１２】
また請求項６の発明では、請求項５に記載のプログラムを記録したことを特徴とする記録媒体としたものである。
【００１３】
【発明の実施の形態】
以下に、本発明の一実施形態を説明する。
【００１４】
１．構成
本実施形態では、図１に示すように、在庫情報を管理する在庫管理サーバからネットワークを介して在庫情報を取得し、電子カタログから商品情報を取得する端末用いて、ユーザは、商品検索、在庫確認、商品発注を行なう。
【００１５】
在庫管理サーバは、電子カタログに記録されている商品の供給業者の商品在庫情報を管理するコンピュータシステムである。
【００１６】
ネットワークは、端末と、在庫管理サーバとの間で、データ通信可能であれば、特に制限は無く、例えば、インターネットでも良いし、電話回線でも良いし、或は専用回線であっても良い。
【００１７】
端末は、パソコン、ＰＤＡなどのようにＣＤ−ＲＯＭ等の記憶媒体から情報を読み出すことができるコンピュータである。
【００１８】
端末は、商品検索ＤＢ（Ｄａｔａ  Ｂａｓｅ）を有し、この商品検索ＤＢを管理し、発注プログラムと、商品情報取得プログラムと、在庫情報取得プログラムとを実行する。
また、本明細書では、商品の情報、或は商品情報は、電子カタログに記録されているものを意味し、在庫情報を含まないものとする。
【００１９】
商品検索ＤＢは、端末の商品検索用データベースであって、商品毎に、商品情報と、在庫情報とを、関連付けて保管する。
【００２０】
発注プログラムは、端末を操作するユーザに、商品検索、在庫確認、商品発注をする環境を提供する。発注プログラムは、この環境を提供するために必要な商品情報と在庫情報を、商品検索ＤＢから取得する。
【００２１】
商品情報取得プログラムは、商品検索ＤＢから請求された商品情報について、電子カタログに記録されている商品情報を、商品検索ＤＢへ反映させる。ここで反映とは、商品検索ＤＢから請求された商品情報について、商品検索ＤＢの商品情報を、電子カタログの商品情報と同じにすることである。すなわち、商品検索ＤＢから請求された商品情報が商品検索ＤＢに未登録である場合には、商品検索ＤＢから請求された商品情報を電子カタログから取り込んで商品検索ＤＢに登録する。商品検索ＤＢから請求された商品情報が商品検索ＤＢに既登録であっても、登録後、電子カタログを新しいものに取り替えるなどして、商品検索ＤＢから請求された商品情報に変更があれば、商品検索ＤＢから請求された商品情報を電子カタログから取り込んで商品検索ＤＢの商品情報を更新する。商品検索ＤＢから請求された商品情報が商品検索ＤＢに既登録であり、登録後、商品検索ＤＢから請求された商品情報に変更がなければ、商品検索ＤＢには何もしない。
【００２２】
在庫情報取得プログラムは、商品検索ＤＢから請求された在庫情報について、在庫管理サーバが管理している在庫管理情報を商品検索ＤＢへ反映させる。ここで反映とは、商品検索ＤＢから請求された在庫情報について、商品検索ＤＢの在庫情報を、在庫管理サーバの在庫情報と同じにすることである。すなわち、商品検索ＤＢから請求された在庫情報が商品検索ＤＢに未登録である場合には、商品検索ＤＢから請求された在庫情報をネットワークを介して在庫管理サーバから取り込んで商品検索ＤＢに登録する。商品検索ＤＢから請求された在庫情報が商品検索ＤＢに既登録であっても、登録後、在庫管理サーバが管理している在庫情報が更新されて、商品検索ＤＢから請求された在庫情報に変更があれば、商品検索ＤＢから請求された在庫情報をネットワークを介して在庫管理サーバから取り込んで商品検索ＤＢの在庫情報を更新する。商品検索ＤＢから請求された在庫情報が商品検索ＤＢに既登録であり、登録後、商品検索ＤＢから請求された在庫情報に変更がなければ、商品検索ＤＢには何もしない。
【００２３】
２．処理
ユーザが、商品検索、在庫確認、商品発注する過程で、端末と在庫サーバとで構成されるシステムでなされる処理の例を、図２のフローチャートに従って、以下に説明する。
【００２４】
ＳＴＥＰ１；
ユーザが、希望する商品の検索条件を、端末に入力すると、発注プログラムは、この検索条件に合致する商品の情報を、在庫情報と共に送るよう商品検索ＤＢに請求する。
【００２５】
ＳＴＥＰ２；
商品検索ＤＢは、検索条件に合致する商品の情報を、商品情報取得プログラムに請求する。
【００２６】
ＳＴＥＰ３；
商品情報取得プログラムは、検索条件に合致する商品の情報について、電子カタログの商品情報を商品検索ＤＢに反映させる。これにより、検索条件に合致する商品の情報について、商品検索ＤＢの商品情報が、電子カタログの商品情報と同じであることが保証される。
【００２７】
ＳＴＥＰ４；
商品検索ＤＢは、ＳＴＥＰ３で商品検索ＤＢに反映された商品情報を持つ商品について、在庫情報を、在庫情報取得プログラムに請求する。
【００２８】
ＳＴＥＰ５；
在庫情報取得プログラムは、商品検索ＤＢから請求された商品の在庫情報について、在庫管理サーバの在庫情報を商品検索ＤＢに反映させる。これにより、検索条件に合致する商品について、商品検索ＤＢの在庫情報が、在庫管理サーバの在庫情報と同じであることが保証される。
【００２９】
ＳＴＥＰ６；
商品検索ＤＢは、ＳＴＥＰ３で商品検索ＤＢに反映された商品情報を、ＳＴＥＰ５で商品検索ＤＢに反映された在庫情報と共に、発注プログラムに送る。
【００３０】
ＳＴＥＰ７；
発注プログラムは、商品検索ＤＢから商品情報を在庫情報と共に受け取り、出力する。この出力は、端末のディスプレイに表示することで行なっても良い。
【００３１】
ＳＴＥＰ８；
ユーザは、出力されている商品情報と在庫情報を確認して、商品情報と在庫情報とが出力されている商品の中に、希望する商品があり、しかも希望する商品の在庫もある場合は、希望する商品を発注する。
【００３２】
商品の発注には、様々な形態があり得る。以下に、その例を列挙する。
例えば、端末が出力した商品情報に基づいて、端末で発注書を作り、端末から、この発注書を、ネットワーク（インターネット、電話回線、専用回線など）を介して、発注先の受注サーバに送信しても良い。この受注サーバは、在庫管理サーバが兼ねるものでも良い
また例えば、端末が出力した商品情報に基づいて、端末で発注書を作り、この発注書を端末からプリントアウトして郵送又はＦＡＸで発注先に送っても良い。
また例えば、端末が出力した商品情報に基づいて、端末で発注書を作り、端末から、この発注書を、ＦＡＸ通信網を介して、発注先のＦＡＸ受信機に送っても良い。
【００３３】
【発明の効果】
以上、本発明では、電子カタログに記録されている商品を検索又は発注する際に、発注可能な商品の在庫情報の確認を正確かつ容易にできるので、ユーザが、パソコンなどのコンピュータで、電子カタログに記録されている商品を、現時点での在庫情報を確認して、発注できるという効果がある。
【図面の簡単な説明】
【図１】本実施形態に係わるシステムの構成例を説明する図。
【図２】ユーザが、商品検索、在庫確認、商品発注する過程で、端末と在庫サーバとで構成されるシステムでなされる処理の例を説明するフローチャート。
【図１】
2004272511.tif 000002
【図２】
2004272511.tif 000003